(57)【要約】      （修正有）【課題】レール部材の移動行程を拡大できるスライドレールキットを提供する。【解決手段】スライドレールキット２０は、第一レール２２、第二レール２４、ブラケット台２６、及びブラケットを有する。第一レール２２には通路が形成される。第二レール２４は第一レール２２に移動可能に連接され、第一レール２２の通路内で縦方向に第一レール２２に対し移動する。ブラケット台２６は第一レール２２に連接される。ブラケットはブラケット台２６に移動可能に連接される。第二レール２４が第一レール２２に対し、閉位置から展開位置の開方向へと移動する時、第二レール２４は第一レール２２を連動させ、これによりブラケット台２６は第一レール２２と連動し、ブラケットに対して、第一位置から第二位置へと移動する。【選択図】図１
0003198043.tif 000002
【実用新案登録請求の範囲】
【請求項１】
通路が形成されている第一レール、第二レール、ブラケット台、およびブラケットを備え、
前記ブラケット台は、前記第一レールに連接されており、
前記ブラケットは、前記ブラケット台に移動可能に連接されており、
前記第二レールは、移動可能に前記第一レールに連接し、前記第一レールに対し縦方向に移動し、前記第一レールを連動させ、前記ブラケット台が前記第一レールと連動し前記ブラケットに対して移動することを特徴とするスライドレールキット。
【請求項２】
前記第二レールは、前記第一レールの前記通路内において、閉位置と展開位置との間で縦方向に前記第一レールに対して移動し、
前記第二レールが前記第一レールに対して、閉位置から展開位置へと移動する過程において、前記第二レールは前記第一レールを連動させ、前記ブラケット台は前記第一レールと連動し前記ブラケットに対して第一位置から第二位置へと移動することを特徴とする請求項１に記載のスライドレールキット。
【請求項３】
前記第一レールは前部および後部を有し、
前記ブラケット台は、前記第一レールの前記前部に連接されており、
前記第一レールの前記後部に移動可能に連接されている別のブラケットをさらに備えることを特徴とする請求項１に記載のスライドレールキット。
【請求項４】
前記ブラケット台は、穿孔をさらに有し、
前記ブラケットは、開口及び嵌着部材をさらに有し、
前記嵌着部材は、弾力アーム及び前記弾力アームに横方向に連接されており、前記開口に対応する嵌着部を有し、
前記ブラケット台が前記ブラケットに対して第二位置に位置する時、前記嵌着部材の前記嵌着部は、前記弾力アームの弾力により、前記ブラケットの前記開口から、前記ブラケット台の前記穿孔に進入し、前記ブラケット台を嵌着することを特徴とする請求項２に記載のスライドレールキット。
【請求項５】
前記第二レールは、嵌着解除部材をさらに有し、
前記第二レールが、前記第一レールに対し前記展開位置から前記閉位置へと移動する過程において、前記第二レールの前記嵌着解除部材が前記嵌着部材の前記嵌着部を嵌着解除方向へと押圧し、前記ブラケット台は前記嵌着部材の前記嵌着部を前記穿孔中より嵌着解除し、前記第二レールは前記第一レールを連動させ、前記ブラケット台は前記第一レールと連動し前記ブラケットに対し前記第二位置より前記第一位置へと移動することを特徴とする請求項４に記載のスライドレールキット。
【請求項６】
前記ブラケット台は、係止部をさらに有し、
前記ブラケットは、押圧部をさらに有し、
前記ブラケット台が前記ブラケットに対し前記第一位置に位置する時、前記ブラケット台の前記係止部は、前記ブラケットの前記押圧部により係止されることを特徴とする請求項２に記載のスライドレールキット。
【請求項７】
前記ブラケットは側壁及び前記側壁に垂直に連接されている端板を有し、
少なくとも１個の取付部材及び前記端板に連接されているロック部材をさらに備え、
前記ロック部材は、可動状の係合接続部材と結合することを特徴とする請求項１に記載のスライドレールキット。
【請求項８】
前記ブラケット台は、上壁、下壁、及び前記上壁と前記下壁との間に延設されている側壁をさらに有し、
前記上壁、前記下壁、及び前記側壁は、共同で通路を形成し、
前記ブラケットは、側壁を有し、
前記ブラケットの前記側壁は、前記ブラケット台の前記通路内で移動可能であることを特徴とする請求項１に記載のスライドレールキット。
【請求項９】
前記ブラケット台は、嵌着孔をさらに有し、
前記ブラケットは、前記嵌着孔に対応する凸部をさらに有し、
前記ブラケット台が前記ブラケットに対して第二位置に位置する時、前記ブラケットの前記凸部は、前記ブラケット台の前記嵌着孔に進入することを特徴とする請求項２に記載のスライドレールキット。
【請求項１０】
第一ラック柱と第二ラック柱を有するラックにシャーシを取り付けるのに用いられるスライドレールキットであって、
第一レール、第二レール、第三レール、ブラケット台、第一ブラケットおよび第二ブラケットを備え、
前記第一レールは、前部、後部を有し、通路が形成されており、
前記第二レールは、移動可能に前記第一レールに連接されており、前記第一レールの前記通路内において、閉位置と展開位置との間で、縦方向に、前記第一レールに対し移動可能であり、
前記第三レールは、前記第二レールに移動可能に連接されており、前記シャーシが取り付けられており、
前記ブラケット台は、前記第一レールの前部に連接されており、
前記第一ブラケットは、前記ブラケット台に移動可能に連接されており、前記第一ラック柱に取り付けられており、
前記第二ブラケットは、前記第一レールの後部に移動可能に連接されており、前記第二ラック柱に取り付けられており、
前記第三レールが前記第一レールに対して引き出される過程において、前記第三レールは前記第二レールを連動させ、前記第二レールは前記第一レールに対し前記閉位置から前記展開位置へと移動し、この過程において、前記第二レールは前記第一レールを連動させ、前記ブラケット台は前記第一レールと連動し前記第一ブラケットに対し第一位置から第二位置へと移動することを特徴とするスライドレールキット。
【請求項１１】
前記シャーシは、第一部分と第二部分とを有し、
前記第一部分は、前記第二部分の幅より大きい幅を有し、
前記第三レールは、前記シャーシの前記第二部分の側辺に取り付けられていることを特徴とする請求項１０に記載のスライドレールキット。
【請求項１２】
第一ラック柱と第二ラック柱を有するラックにシャーシを取り付けるのに用いられるスライドレールキットであって、
第一レール、第二レール、第三レール、ブラケット台、第一ブラケット、および第二ブラケットを備え、
前記第一レールは、前部及び後部を有し、
前記第二レールは、縦方向に移動可能に前記第一レールに連接されており、
前記第三レールは、縦方向に移動可能に前記第二レールに連接されており、前記シャーシが取り付けられており、
前記ブラケット台は、前記第一レールの前部に連接されており、
前記第一ブラケットは、前記ブラケット台に、移動可能に連接されており、前記第一ラック柱に取り付けられており、
前記第二ブラケットは、前記第一レールの後部に移動可能に連接されており、前記第二ラック柱に取り付けられており、
前記第三レールにより前記第二レールを連動させ開方向へと移動させると、前記第二レールは前記第一レールを連動させ、前記ブラケット台は前記第一ブラケットに対し第一位置から第二位置へと移動することを特徴とするスライドレールキット。
【請求項１３】
前記シャーシは、第一部分と第二部分とを有し、
前記第一部分は、前記第二部分の幅より大きい幅を有し、
前記第三レールは、前記シャーシの前記第二部分の側辺に取り付けられていることを特徴とする請求項１２に記載のスライドレールキット。
【請求項１４】
前記ブラケット台は、上壁、下壁、及び前記上壁と前記下壁との間に延設されている側壁をさらに有し、
前記上壁、前記下壁、及び前記側壁は、共同で通路を形成し、
前記第一ブラケットは、側壁及び前記側壁に垂直に連接されている端板を有し、
前記第一ブラケットの前記側壁は、前記ブラケット台の前記通路内で移動可能であることを特徴とする請求項１２に記載のスライドレールキット。
【考案の詳細な説明】
【技術分野】
【０００１】
本考案はスライドレールキットに関する。
【背景技術】
【０００２】
特許文献１に開示する従来のサーバシャーシに用いるスライドレールキットにおいて、ラックは左、右両側にそれぞれ一対のラック柱を設置する。
その内一対のラック柱を例とすると、一対のラック柱は、深さの異なるラックに応じて予定の長さを有し、スライドレールキットをラック柱の間に取り付ける。
スライドレールキットは、第一レール、第二レール、第三レール、前ブラケット、及び後ブラケットを有する。
第一レールは、先端及び末端を有し、第二レールは第一レールに移動可能に連接し、第三レールは第二レールに移動可能に連接する。
前ブラケットは、第一レール先端に固定し、後ブラケットは第一レール末端に固定する。
こうして、スライドレールキットは、前ブラケットと後ブラケットにより、一対のラック柱の一つにそれぞれ取り付けられる。
【０００３】
上述のスライドレールキットは、従来のサーバシャーシに運用される。
しかしながら、昨今サーバは高密度へと発展しており、従来のシャーシとは異なる外型のサーバシャーシ（例えば、Ｔ型シャーシ）も市場には出現し始めている。
そのため、スライドレールの移動行程を拡大し、特定のサーバシャーシに対応可能なスライドレールキットが、市場で求められている。
【先行技術文献】
【特許文献】
【０００４】
【特許文献１】米国特許第ＵＳ７２８１６９４Ｂ２号明細書
【考案の概要】
【考案が解決しようとする課題】
【０００５】
昨今サーバは高密度へと発展しており、従来のシャーシとは異なる外型のサーバシャーシも市場には出現し始めているため、スライドレールの移動行程を拡大し、特定のサーバシャーシに対応可能なスライドレールキットが市場で求められている。
【０００６】
本考案の目的は、スライドレールキットのレール部材とブラケット台とが、ブラケットに対して移動可能であり、レール部材の移動行程を拡大可能であるスライドレールキットを提供することにある。
【課題を解決するための手段】
【０００７】
本考案によるスライドレールキットは、第一レール、ブラケット台、第一ブラケット、及び第二レールを有する。
ブラケット台は、第一レールに連接される。
第一ブラケットは、ブラケット台に、移動可能に連接される。
第二レールは、第一レールに移動可能に連接され、第一レールに対して縦方向に移動する。
第二レールは、第一レールを連動させ、これによりブラケット台は、第一レールと連動し、第一ブラケットに対し移動する。好ましくは、第一レールには、通路が形成される。
第二レールは、第一レールの通路内において、閉位置と展開位置との間で、縦方向に、第一レールに対し移動する。
第二レールが、第一レールに対し閉位置から展開位置の方向へと移動する過程において、第二レールは、第一レールを連動させ、これによりブラケット台は、第一レールと連動し、第一ブラケットに対し、第一位置から第二位置へと移動する。
【０００８】
本考案によるもう一つのスライドレールキットは、シャーシをラックに取り付けるために適用し、ラックは、第一ラック柱と第二ラック柱を有する。
スライドレールキットは、第一レール、第二レール、第三レール、ブラケット台、第一ブラケット、及び第二ブラケットを有する。
第一レールは、前部、後部を有し、及び通路が形成される。
第二レールは、第一レールに移動可能に連接され、第一レールの通路内において、閉位置と展開位置との間で、縦方向に、第一レールに対し移動する。
第三レールは、第二レールに移動可能に連接し、第三レールには、シャーシを取り付ける。
ブラケット台は、第一レールの前部に連接される。
第一ブラケットは、ブラケット台に、移動可能に連接され、第一ブラケットは、第一ラック柱に取り付けられる。
第二ブラケットは、第一レールの後部に移動可能に連接され、第二ブラケットは、第二ラック柱に取り付けられる。
第三レールが、第一レールに対し引き出される過程において、第三レールは、第二レールを連動させ、これにより第二レールは、第一レールに対し、閉位置から展開位置の方向へと移動する。
この過程において、第二レールは、第一レールを連動させ、これによりブラケット台は、第一レールと連動し、第一ブラケットに対し、第一位置から第二位置へと移動する。
【０００９】
本考案によるもう一つのスライドレールキットは、シャーシをラックに取り付けるために適用し、ラックは、第一ラック柱と第二ラック柱を有する。
スライドレールキットは、第一レール、第二レール、第三レール、ブラケット台、第一ブラケット、及び第二ブラケットを有する。
第一レールは、前部及び後部を有する。
第二レールは、縦方向に第一レールに移動可能に連接される。
第三レールは、縦方向に第二レールに移動可能に連接され、第三レールには、シャーシを取り付ける。
ブラケット台は、第一レールの前部に連接される。
第一ブラケットは、ブラケット台に、移動可能に連接され、第一ブラケットは、第一ラック柱に取り付けられる。
第二ブラケットは、第一レールの後部に移動可能に連接され、第二ブラケットは、第二ラック柱に取り付けられる。
第三レールにより第二レールを連動させ開方向へと移動させると、第二レールは第一レールを連動させ、ブラケット台は、第一位置より、第一ブラケットに対し、第二位置へと移動する。
【００１０】
また、第一レールは、前部と後部を有し、ブラケット台は、第一レールの前部に連接し、スライドレールキットは、第二ブラケットをさらに有し、第一レールの後部に移動可能に連接される。
【００１１】
また、ブラケット台は穿孔をさらに有し、第一ブラケットは、開口及び嵌着部材をさらに有し、嵌着部材は、弾力アーム及び弾力アームに横方向に連接し、開口に対応する嵌着部を有する。
ブラケット台が、第一ブラケットに対し、第二位置に位置する時、嵌着部材の嵌着部弾力アームの弾力により、第一ブラケットの開口から、ブラケット台の穿孔へと進入し、ブラケット台を嵌着する。
第二レールは、嵌着解除部材をさらに有し、第二レールが、第一レールに対し展開位置より閉位置の方向へと移動する過程において、第二レールの嵌着解除部材により、嵌着部材の嵌着部を、嵌着解除方向へと押圧し、且つブラケット台は、嵌着部材の嵌着部を、穿孔中から嵌着解除することができ、第二レールは、第一レールを連動させ、ブラケット台は、第一レールと連動し、第一ブラケットに対し、第二位置から第一位置へと移動する。
【００１２】
また、ブラケット台は、係止部をさらに有する。
第一ブラケットは、押圧部をさらに有する。
ブラケット台が、第一ブラケットに対し、第一位置にある時、ブラケット台の係止部は、第一ブラケットの押圧部により係止される。
【００１３】
また、第一ブラケットは、側壁及び側壁におおよそ垂直に連接する端板を有する。
スライドレールキットは、少なくとも１個の取付部材及び端板に連接するロック部材をさらに有する。
ロック部材は、可動状の係合接続部材を結合する。
【００１４】
また、ブラケット台は、上壁、下壁、及び上壁と下壁との間に延設されている側壁をさらに有し、上壁、下壁、及び側壁は、共同で通路を形成する。
第一ブラケットは、側壁を有し、第一ブラケットの側壁は、ブラケット台の通路内で移動可能である。
【００１５】
また、ブラケット台は、嵌着孔をさらに有し、第一ブラケットは、嵌着孔に対応する凸部をさらに有する。
ブラケット台は、第一ブラケットに対し、第二位置に位置する時、第一ブラケットの凸部は、ブラケット台の嵌着孔に進入する。
【００１６】
また、シャーシは、第一部分と第二部分を有し、第一部分の幅は、第二部分の幅より大きく、第三レールは、シャーシの第二部分の側辺に取り付けられる。
【００１７】
本考案の実施形態を応用する特徴の一つは、スライドレールキットのレール部材とブラケット台は、ブラケットに対して移動することができる。 
【図面の簡単な説明】
【００１８】
【図１】本考案の一実施形態によるスライドレールキットを示す模式図である。
【図２】本考案の一実施形態によるスライドレールキットを示す分解斜視図である。
【図３】本考案の一実施形態によるスライドレールキットにおいて、シャーシがラックに取り付けられており、且つシャーシがラック内から引き出される状態を示す模式図である。
【図４Ａ】本考案の一実施形態によるスライドレールキットにおいて、シャーシがラックに取り付けられており、且つブラケット台が第一ブラケットに対して第一位置に位置する状態を示す模式図である。
【図４Ｂ】本考案の一実施形態によるスライドレールキットの第二レールと第三レールが第一レールに対して移動する状態を示す模式図である。
【図４Ｃ】本考案の一実施形態によるスライドレールキットの第二レールと第三レールが第一レールに対してさらに移動し、且つブラケット台が第一ブラケットに対して第二位置に位置する状態を示す模式図である。
【図５Ａ】本考案の一実施形態によるスライドレールキットを第一ラック柱に取り付け、且つブラケット台が第一ブラケットに対して第一位置に位置する状態を示す模式図である。
【図５Ｂ】本考案の一実施形態によるスライドレールキットのレール部材が開方向へと引き出される状態を示す模式図である。
【図６Ａ】本考案の一実施形態によるスライドレールキットを第一ラック柱に取り付け、且つブラケット台が第一ブラケットに対して第二位置に位置する状態を示す模式図である。
【図６Ｂ】本考案の一実施形態によるブラケット台が第一ブラケットに対して第二位置に位置し、且つ嵌着部材の嵌着部がブラケット台の穿孔に進入しブラケット台と嵌着する状態を示す模式図である。
【図７Ａ】本考案の一実施形態によるスライドレールキットのブラケット台が第一ブラケットに対して第一位置に位置し、且つ嵌着部材の嵌着部が第一ブラケットの開口に進入する状態を示す模式図である。
【図７Ｂ】本考案の一実施形態によるスライドレールキットのブラケット台が第一ブラケットに対して開方向へと移動する状態を示す模式図である。
【図７Ｃ】本考案の一実施形態によるスライドレールキットのブラケット台が第一ブラケットに対して第二位置にあり、且つ嵌着部材の嵌着部がブラケット台の穿孔に進入する状態を示す模式図である。
【図８Ａ】本考案の一実施形態によるスライドレールキットにおいて、第二レールにより嵌着部材の嵌着部を嵌着解除方向へと押す状態を示す模式図である。
【図８Ｂ】本考案の一実施形態によるスライドレールキットのブラケット台の係止部が嵌着部材の嵌着部をブラケット台の穿孔中から嵌着解除する状態を示す模式図である。
【図８Ｃ】本考案の一実施形態によるブラケット台が第一ブラケットに対して第一位置に位置する状態を示す模式図である。
【図９Ａ】本考案の他の実施形態によるスライドレールキットを第一ラック柱に取り付け、且つブラケット台が第一ブラケットに対して所定の位置に位置する状態を示す模式図である。
【図９Ｂ】本考案の他の実施形態によるブラケット台が第一ブラケットに対して別の位置にあり、且つ第一ブラケットの凸部がブラケット台の嵌着孔に進入する状態を示す模式図である。
【考案を実施するための形態】
【００１９】
（一実施形態）
図１に示すように、本考案一実施形態によるスライドレールキット２０は、第一レール２２、第二レール２４、ブラケット台２６、第一ブラケット２８を有する。
ここでは、第二ブラケット３０と第三レール３２をさらに有する。
第一レール２２、第二レール２４、及び第三レール３２は、順番に、縦方向に移動可能に連接し、延長展開の状態にある。
【００２０】
図１と図２に示すとおり、第一レール２２は、前部３４ａ、後部３４ｂを有し、及び通路３６を形成する。
第二レール２４は、第一レール２２に移動可能に連接し、第一レール２２の通路３６内に位置する。
第二レール２４は、前部３８ａ、後部３８ｂを有し、及び通路４０を形成する。
本実施形態では、第二レール２４は、嵌着解除部材４２をさらに有する。
嵌着解除部材４２は、第二レール２４に隣り合い、前部３８ａに位置するがこれに制限されない。
【００２１】
ブラケット台２６は、第一レール２２に連接する。
例えば、ブラケット台２６は、リベット接続、ネジ接続、溶接、或いは係合接続等方式で、第一レール２２に隣り合い、前部３４ａに固定するように連接される。
或いは、ブラケット台２６は、第一レール２２に成型され、第一レール２２の一部分と見做すこともでき、実施においては制限されない。
ブラケット台２６は、上壁４４ａ、下壁４４ｂ、及び上壁４４ａと下壁４４ｂとの間に延設されている側壁４６を有し、上壁４４ａ、下壁４４ｂ、及び側壁４６は、共同で通路８４を形成する。
【００２２】
ここでは、ブラケット台２６は、穿孔５０、穿孔５０に隣り合い位置する係止部５２、欠口５４、及び欠口５４に隣り合い位置する少なくとも１個の係止壁５６をさらに有する。
穿孔５０、係止部５２、欠口５４、及び少なくとも１個の係止壁５６は、ブラケット台２６の側壁４６に位置するがこれに制限されない。
第一ブラケット２８はブラケット台２６に、移動可能に連接される。
第一ブラケット２８は、側壁５８及び側壁５８におおよそ垂直に連接する端板６０を有する。
側壁５８は、ブラケット台２６の通路４８内で動くことができる。
ここでは、第一ブラケット２８は、押圧部６２、開口６４、嵌着部材６６、少なくとも１個の取付部材６７及びロック部材６８を有する。
具体的には、押圧部６２及び開口６４は、側壁５８に位置する。
【００２３】
嵌着部材６６は、側壁５８に弾力を以て連接し、第一ブラケット２８の一部分と見做すことができる。
嵌着部材６６は、弾力アーム７０及び弾力アーム７０に横方向に連接し、開口６４に対応する嵌着部７２を有する。
嵌着部７２は、少なくとも１個の嵌着段７１と少なくとも１個の嵌着段７１に隣り合う斜面７３を有する。
【００２４】
少なくとも１個の取付部材６７及びロック部材６８は、端板６０に連接する。
ロック部材６８には、可動状の係合接続部材７４を結合し、係合接続部材７４は、係合接続部７６及び放出部７８を有する。
放出部７８により、係合接続部７６の動きを操作し、これにより係合接続部７６は、ロック部材６８の内部に縮入することができる。
第二ブラケット３０は、第一レール２２に隣り合い、後部３４ｂに移動可能に連接される。
第二ブラケット３０は、上壁８０ａ、下壁８０ｂ、及び側壁８２を有する。
上壁８０ａ、下壁８０ｂ、及び側壁８２は、共同で通路８４を形成する。
第二ブラケット３０は、通路８４により、第一レール２２に隣り合い、後部３４ｂに移動可能に取り付けられる。
これにより、第二ブラケット３０と第一レール２２とは、相対して縦方向に移動する。
第二ブラケット３０は、少なくとも１個の取付部材８６を有する。
第三レール３２は、第二レール２４に移動可能に連接し、第二レール２４の通路４０内に位置する。
【００２５】
図３に示すように、シャーシ８８は、一対のスライドレールキット２０により、ラック９０に取り付けられる。
ラック９０は、二対のラック柱を有し、例えばそれは、２個の対応する第一ラック柱９２ａ、及び２個の対応する第二ラック柱９２ｂである。
各スライドレールキット２０の２個の部位（例えば、前部と後部)は、それぞれ第一ブラケット２８と第二ブラケット３０により、ラック９０の第一ラック柱９２ａと第二ラック柱９２ｂに取り付けられる。
これにより、シャーシ８８は、ラック９０に取り付けられる。
【００２６】
具体的には、シャーシ８８は、スライドレールキット２０の第三レール３２に取り付けられる。
本実施形態中では、シャーシ８８はおおよそＴ型シャーシである。
例えば、シャーシ８８は、第一部分９４と第二部分９６を有する。
第一部分９４は、幅Ｗ１を有し、第二部分９６は、幅Ｗ２を有する。
幅Ｗ１は、幅Ｗ２より大きい。
【００２７】
図４Ａに示すとおり、シャーシ８８は、スライドレールキット２０により、ラックに取り付けられ、且つスライドレールキット２０は、閉位置にある。
具体的には、スライドレールキット２０の２個の部位は、第一ブラケット２８の取付部材６７と第二ブラケット３０の取付部材８６により、それぞれ第一ラック柱９２ａと第二ラック柱９２ｂに取り付けられる。
ブラケット台２６は、第一ブラケット２８に対して、第一位置Ｐ１にある。
【００２８】
図４Ｂに示すとおり、第二レール２４と第三レール３２とが第一レール２２に対して、閉位置から展開位置の開方向Ｄ１へと引き出されると、第二レール２４と第三レール３２とは、第一レール２２に対して移動し、徐々に延長展開の状態を呈する。
シャーシ８８の第一部分９４の幅Ｗ１は、第二部分９６の幅Ｗ２より大きいため、第一部分９４は、第二部分９６に比べ、厚みＴを多めに有する。
よって、スライドレールキット２０の第三レール３２は、制限だけされ、シャーシ８８の第二部分９６の側辺９８に取り付けられる。
【００２９】
図４Ｃに示すとおり、第二レール２４と第三レール３２が、第一レール２２に対して、開方向Ｄ１へとさらに引き出されると、第三レール３２は第二レール２４をさらに連動する。
これにより、第二レール２４は、開方向Ｄ１へと予定位置までさらに移動する時、第一レール２２を連動させ、且つブラケット台２６は、第一レール２２と連動し、第一ブラケット２８に対して、第一位置Ｐ１から第二位置Ｐ２へと移動する。
すなわち、第一レール２２は、ブラケット台２６により、第一ブラケット２８に対して開方向Ｄ１へと一位置まで移動する。
これにより、シャーシ８８がラック９０中から引き出される行程の距離を拡大でき、且つ開方向Ｄ１へと引き出される過程において、第一レール２２はブラケット台２６に支えられる。
こうして、特定の外形を有するシャーシ８８（例えばＴ型シャーシ)を、ラック９０上に取り付ける実際の操作ニーズに対応することができる。
【００３０】
図５Ａに示すとおり、スライドレールキット２０は、第一ブラケット２８により、第一ラック柱９２ａに取り付けられる。
係合接続部７６により、ロック部材６８の外部へと突き出し、係合接続部７６は第一ラック柱９２ａの壁面に対応し、且つ係止される。
且つ第二レール２４と第三レール３２とは、第一レール２２に相対し閉位置にある。
ブラケット台２６は、第一ブラケット２８に相対し、第一位置Ｐ１にある。
ブラケット台２６は第一位置Ｐ１にある時、ブラケット台２６の係止部５２は、第一ブラケット２８の押圧部６２により係止される。
【００３１】
図５Ｂに示すとおり、第二レール２４と第三レール３２とは、第一レール２２に対し閉位置から開方向Ｄ１へと引き出され、徐々に延長展開の状態を呈する。
【００３２】
図６Ａに示すとおり、第二レール２４は、開方向Ｄ１へと予定位置までさらに移動し、第一レール２２を連動する。
これにより、ブラケット台２６は、第一レール２２に従い移動し、第二位置Ｐ２に位置する。
【００３３】
図６Ｂに示すとおり、ブラケット台２６が第二位置Ｐ２に位置する時、第二レール２４と第三レール３２とは、第一レール２２に対して閉まる。
ブラケット台２６が第二位置Ｐ２に位置する時、嵌着部材６６の嵌着部７２は、第一ブラケット２８からブラケット台２６の穿孔５０に進入し、ブラケット台２６を嵌着する。
【００３４】
さらに、ブラケット台２６が、第一ブラケット２８に対し、第二位置Ｐ２に位置する時、欠口５４は、放出部７８に対応し、且つ少なくとも１個の係止壁５６は、放出部７８を係止することができる。
ブラケット台２６が第二位置Ｐ２に位置する時、第二レール２４と第三レール３２とは、さらに閉方向へと閉まり、これにより第二レール２４は第一レール２２を連動させ、ブラケット台２６を連動させ、ブラケット台２６は、第二位置Ｐ２から第一位置Ｐ１へ戻ることができる（図５Ａ参照）。
【００３５】
図７Ａに示すように、嵌着部材６６の嵌着部７２は、第一ブラケット２８の開口６４に対応し、且つ進入する。
ブラケット台２６が、第一ブラケット２８に対し、第一位置Ｐ１にある時、ブラケット台２６の係止部５２は、第一ブラケット２８の押圧部６２を押圧する。
【００３６】
図７Ｂに示すとおり、第二レール２４と第三レール３２とは、第一レール２２に対し閉位置から縦方向に展開位置の開方向Ｄ１へと移動の過程において、第二レール２４は、予定位置に到達すると、第一レール２２を連動する。
これにより、第一レール２２は、ブラケット台２６を連動させ、第一ブラケット２８に対し、第一位置Ｐ１から開方向Ｄ１へと移動する。
【００３７】
図７Ｃに示すとおり、第一レール２２はさらに、開方向Ｄ１へと第二レール２４と連動する過程において、ブラケット台２６の係止部５２は、嵌着部７２を越え、且つブラケット台２６は、第一ブラケット２８に対し、第二位置Ｐ２まで移動する。
ブラケット台２６が第二位置Ｐ２に位置する時、嵌着部材６６の嵌着部７２は、弾力アーム７０の弾力により、第一ブラケット２８の開口６４よりブラケット台２６の穿孔５０に進入し、且つ嵌着部材６６は、嵌着段７１により、係止部５２と相互に係合して押圧し、ブラケット台２６を嵌着する。
【００３８】
図８Ａ〜図８Ｃに示すとおり、第二レール２４が、第一レール２２に対し、展開位置から縦方向に閉位置の閉方向Ｄ２へと移動する過程において、第二レール２４の嵌着解除部材４２により、嵌着部材６６の嵌着部７２を、嵌着解除方向Ｄ３へと押圧する。
これにより、嵌着部７２の嵌着段７１は、ブラケット台２６の係止部５２より離脱する。
且つブラケット台２６の係止部５２は、嵌着部７２の斜面７３を押圧でき、嵌着部材６６の嵌着部７２を、ブラケット台２６の穿孔５０中より嵌着解除方向Ｄ３へと嵌着解除する。
これにより、第二レール２４は、第一レール２２を連動させ、閉方向Ｄ２へと移動させ、第一レール２２は、ブラケット台２６を連動させ第二位置Ｐ２から第一位置Ｐ１へと移動させる。
【００３９】
（他の実施形態）
図９Ａと図９Ｂは、本考案の他の実施形態によるスライドレールキットを示す。
本実施形態と上述の実施形態との差異は、おおよそ以下のとおりである。
ブラケット台２００は、嵌着孔２０２を有する。
第一ブラケット２０４は、凸部２０６を有する。
凸部２０６は、嵌着孔２０２に対応する。
ブラケット台２００が、第一ブラケット２０４に対し、第二位置Ｐ２に位置する時、第一ブラケット２０４の凸部２０６は、ブラケット台２００の嵌着孔２０２に進入し、ブラケット台２００を嵌着する。
【００４０】
前述した本考案の実施形態は本考案を限定するものではなく、よって、本考案により保護される範囲は実用新案登録請求の範囲を基準とする。
【符号の説明】
【００４１】
２０  スライドレールキット、
２２  第一レール、
２４  第二レール、
２６、２００  ブラケット台、
２８、２０４  第一ブラケット、
３０  第二ブラケット、
３２  第三レール、
３４ａ、３８ａ  前部、
３４ｂ、３８ｂ  後部、
３６、４０  通路、
４２  嵌着解除部材、
４４ａ、８０ａ  上壁、
４４ｂ、８０ｂ  下壁、
４６、５８、８２  側壁、
４８、８４  通路、
５０  穿孔、
５２  係止部、
５４  欠口、
５６  係止壁、
６０  端板、
６２  押圧部、
６４  開口、
６６  嵌着部材、
６８  ロック部材、
７０  弾力アーム、
７１  嵌着段、
７２  嵌着部、
７３  斜面、
７４  係合接続部材、
７６  係合接続部、
７８  放出部、
６７、８６  取付部材、
８８  シャーシ、
９０  ラック、
９２ａ  第一ラック柱、
９２ｂ  第二ラック柱、
９４  第一部分、
９６  第二部分、
９８  側辺、
２０２  嵌着孔、
２０６  凸部、
Ｄ１  開方向、
Ｄ２  閉方向、
Ｄ３  嵌着解除方向、
Ｐ１  第一位置、
Ｐ２  第二位置、
Ｗ１、Ｗ２  幅。
【図１】
0003198043.tif 000003
【図２】
0003198043.tif 000004
【図３】
0003198043.tif 000005
【図４Ａ】
0003198043.tif 000006
【図４Ｂ】
0003198043.tif 000007
【図４Ｃ】
0003198043.tif 000008
【図５Ａ】
0003198043.tif 000009
【図５Ｂ】
0003198043.tif 000010
【図６Ａ】
0003198043.tif 000011
【図６Ｂ】
0003198043.tif 000012
【図７Ａ】
0003198043.tif 000013
【図７Ｂ】
0003198043.tif 000014
【図７Ｃ】
0003198043.tif 000015
【図８Ａ】
0003198043.tif 000016
【図８Ｂ】
0003198043.tif 000017
【図８Ｃ】
0003198043.tif 000018
【図９Ａ】
0003198043.tif 000019
【図９Ｂ】
0003198043.tif 000020